(57)【特許請求の範囲】
【請求項１】
口筒部を有してその内側に内容物の充填空間に通じる通路が形成された容器本体と、容器本体からの内容物を取り出す取出し栓とを備え、
当該取出し栓は、口筒部に対して着脱可能に螺合する栓本体と、栓本体に形成した空間にスライド可能に配置される計量部材と、計量部材を付勢するばね部材とを有し、
栓本体は、計量部材が配置される前記空間を挟んだ上流側と下流側とにそれぞれ前後方向にずらして配置された取入口と取出口を有し、
計量部材は、その内側に上流側から下流側に貫かれる計量室を有し、当該計量室の取入口が栓本体の取入口に整列するようにばね部材を介して付勢されると共に当該ばね部材に抗した押し込みで計量室の取出し口が栓本体の取出し口に整列する部材であって、
計量部材及び栓本体に、容器本体と共に倒立させた状態で取出し栓を把持したとき、手からの抜け落ちを防止するためのフランジ部を備えることを特徴とする、取出し容器。
【請求項２】
請求項１において、前記フランジ部を曲線で構成したことを特徴とする、取出し容器。
【請求項３】
請求項１又は２において、計量室を形作る計量部に、当該計量部よりも横幅が狭く、指を引っ掛けるための膨出部を備えるとともに、当該膨出部に前記フランジ部を備えることを特徴とする、取出し容器。
【発明の詳細な説明】
【技術分野】
【０００１】
本発明は、容器本体を倒立させた状態で、内容物を取り出すことができる取出し容器に関するものである。
【背景技術】
【０００２】
従来の取出し容器には、蓋体で覆われた本体の内側に計量凹部を設け、容器本体を傾けつつ倒立させた後に再び正立（容器本体の口筒部を上向きに起立）させることで、錠剤等の内容物を計量凹部で保持し、蓋体を本体に対してスライドさせることで、内容物を定量的に取り出せるものがある（例えば、特許文献１参照）。
【先行技術文献】
【特許文献】
【０００３】
【特許文献１】特開２００２−１６６９５９号公報
【発明の概要】
【発明が解決しようとする課題】
【０００４】
しかしながら、従来の取出し容器では、容器を倒立させた後に再び正立させる必要があるため、取出し操作が煩雑となり、改善の余地がある。
【０００５】
本発明の目的とするところは、容器を倒立させたままで内容物を取り出すことができ、操作性に優れて使い勝手の良い新規の取出し容器を提供することにある。
【課題を解決するための手段】
【０００６】
本発明は、口筒部を有してその内側に内容物の充填空間に通じる通路が形成された容器本体と、容器本体からの内容物を取り出す取出し栓とを備え、
当該取出し栓は、口筒部に対して着脱可能に螺合する栓本体と、栓本体に形成した空間にスライド可能に配置される計量部材と、計量部材を付勢するばね部材とを有し、
栓本体は、計量部材が配置される前記空間を挟んだ上流側と下流側とにそれぞれ前後方向にずらして配置された取入口と取出し口を有し、
計量部材は、その内側に上流側から下流側に貫かれる計量室を有し、当該計量室の取入口が栓本体の取入口に整列するようにばね部材を介して付勢されると共に当該ばね部材に抗した押し込みで計量室の取出し口が栓本体の取出し口に整列する部材であって、
計量部材及び栓本体に、容器本体と共に倒立させた状態で取出し栓を把持したとき、手からの抜け落ちを防止するためのフランジ部を備えることを特徴とするものである。
【０００７】
本発明では、前記フランジ部を曲線で構成することが好ましい。
【０００８】
計量室を形作る計量部に、当該計量部よりも横幅が狭く、指を引っ掛けるための膨出部を備えるとともに、当該膨出部に前記フランジ部を備えることができる。
【発明の効果】
【０００９】
本発明では、栓本体に計量部材の配置空間を形成すると共に、この配置空間を挟んで上流側に形成した取入口と、下流側に形成した取出し口とを前後方向にずらして配置し、更に、当該配置空間に、上流側から下流側に貫く計量室を有する透明な計量部材をスライド可能に配置すると共に、この計量室の取入口が栓本体の取入口に整列するようにばね部材を介して付勢するため、容器本体を倒立させるだけの簡単な操作で、容器本体からの内容物を計量室に充填することができる。
【００１０】
加えて、本発明では、計量部材に設けたフランジ部が容器本体と共に倒立させた状態で把持したとき、人差し指に引っ掛かることで、或いは、栓本体に設けたフランジ部が容器本体と共に倒立させた状態で把持したとき、人差し指と親指との間の指股部分（いわゆる、水掻き部分）に引っ掛かることで、手からの抜け落ちを防止すると共に、計量部材の押し込みを容易にする。このため、操作性に優れて使い勝手が良い。
【００１１】
更にフランジ部を設けることで、安定したハンドリングが可能になるため、細かい計量を行うための、微妙な押し込みが可能になる。
【００１２】
従って、本発明によれば、容器を倒立させたままで内容物を取り出すことができ、操作性に優れて使い勝手の良い新規の取出し容器を提供することができる。
【図面の簡単な説明】
【００１３】
【図１】本発明の一形態である、粉末洗剤容器を示す側面図である。
【図２】同形態の要部を示す断面図及び、その要部平面図である。
【図３】図１のＸ−Ｘ断面図である。
【図４】同形態に係る取出し栓を構成する、計量部材、ばね部材及び栓本体をその平面図と共に示す分解図である。
【図５】(a)は、同形態において、粉末洗剤を定量するために容器本体と共に倒立させた状態を示す要部側面図であり、(b)は、同形態において、定量した粉末洗剤を取り出すときの状態を一部断面で示す要部側面図である。
【図６】同形態を倒立させて、計量部材とともに筐体壁を把持した状態を示す斜視図である。
【発明を実施するための形態】
【００１４】
以下、図面を参照して、本発明の一形態である、粉末洗剤容器を詳細に説明する。
【００１５】
符号１は、口筒部１ａ（図２参照）、肩部１ｂ、胴部１ｃ及び底部１ｄを有し、合成樹脂製のブロー成形品としてなるボトル形の容器本体である。口筒部１ａの内側には、図２に示すように、内容物たる粉末洗剤の充填空間Ｓ1を外界に通じさせる通路Ｒが形成されている。また、口筒部１ａの外側には、後述する取出し栓２を装着するためのねじ部１ｓが形成されている。
【００１６】
取出し栓２は、容器本体１からの内容物を計量するための合成樹脂からなる計量部材３と、この計量部材３をスライド可能に保持する合成樹脂製の栓本体４とを有する。
【００１７】
栓本体４は、装着部４ａを有し、この装着部４ａの内側に口筒部１ａに形成されたねじ部１ｓに対して螺合するねじ部４ｓが形成されている。
【００１８】
また装着部４ａの内側には、通路Ｒからの内容物を取り入れるための取入口Ａ1が形成されている。加えて、装着部４ａの内側には、口筒部１ａの内周面を密封する環状の周壁４ｂが設けられている。更に、環状の周壁４ｂの内側には、取入口Ａ1を取り囲むように環状の傾斜面ｆが形成されている。傾斜面ｆは、通路Ｒからの内容物を取入口Ａ1に導くように、取入口Ａ1に向かって傾斜する。本形態では、取入口Ａ1が軸線Ｏに対して偏心していることで、傾斜面ｆは、異なる傾斜角の傾斜面ｆ1，ｆ2を構成する。
【００１９】
装着部４ａからは、図１に示すように、筐体壁４ｃが一体に起立する。この筐体壁４ｃは、図３に示すように、取入口Ａ1が配置された側を前側とすると、この取入口Ａ1よりも後側にあって、取入口Ａ1を左右横方向（軸線Ｏ及び前後方向に直交する方向）に挟み込むように配置された２つの側壁４ｃ1と、これら側壁４ｃ1の相互間の後方に配置された後方壁４ｃ2とからなる。
【００２０】
側壁４ｃ1及び後方壁４ｃ2は、使用者が人差し指等の４指と親指とで挟み込むピンチ部として機能する。このため、本形態では、図３に示すように、後方壁４ｃ2を湾曲面で構成することで、４指と親指との間でのフィット感を向上させている。
【００２１】
また、筐体壁４ｃの延在端には、図２に示すように、蓋体としての、取出し壁４ｃ3が設けられている。取出し壁４ｃ3には、図４に示すように、通路Ｒからの内容物を取り出すための矩形の取出し口Ａ2が形成されている。これにより、取入口Ａ1と取出し口Ａ2との間には、図２及び３に示すように、計量部材３を配置するための空間（以下、「配置空間」）Ｓ2が形成される。取出し口Ａ2は、図２に示すように、取入口Ａ1よりも後方に配置されることで、取入口Ａ1と取出し口Ａ2とが、前後方向に対して同一軸線上に配置されないように構成している。
【００２２】
計量部材３は、図４に示すように、計量部３ａを有し、その内側に計量室Ｓ3が形成されている。計量室Ｓ3は、上流側平坦面３ｂに形成された内容物を取り入れる取入口Ａ3と、下流側平坦面３ｃに形成された内容物を取り出す取出し口Ａ4を通じさせる矩形の貫通孔としてなる。これにより、取入口Ａ3からの内容物は、その取出し口Ａ4を通してそのまま取り出すことができる。
【００２３】
本形態では、栓本体４は、図２に示すように、計量部材３の取入口Ａ3が取入口Ａ1と整列する位置にあるときには、計量部材３の取出し口Ａ4が封止されるように取出し壁４ｃ3を設けている。これにより、取入口Ａ1が取入口Ａ3と整列することで、内容物が充填されるときも、計量室Ｓ3に充填された内容物は、取出し口Ａ2を通して取り出されることがない。
【００２４】
図４に示す符号５は、計量部材３と後方壁４ｃ2との間に介在させたばね部材である。ばね部材５は、計量部３ａの後方壁３ｅに設けたマウント部３ｍと、筐体壁４ｃの後方壁４ｃ2に設けたマウント部４ｍとで保持されることで、図２に示すように、計量部３ａの取入口Ａ3が、栓本体４の取入口Ａ1と同軸線上に位置するように、計量部材３を付勢する。
【００２５】
本形態では、栓本体４は、計量部材３をばね部材５の付勢力に抗して計量部材３の取出し口Ａ4が取出し口Ａ2と一致するように、当該取出し口Ａ2を設けている。これにより、計量部材３を押し込んで取出し口Ａ4が取出し口Ａ2と整列すれば、取出し口Ａ2を通して内容物を取り出すことができる。
【００２６】
容器本体１から内容物を定量的に取り出すときには、図１に示す正立状態から計量部材３を押し込まないように取出し栓２（筐体壁４ｃ）を逆手で掴んで、容器本体１を垂直に倒立させるように取出し栓２を反転させると、図６に示すように把持することができる。これにより、栓本体４の取入口Ａ1から取入口Ａ3を通して計量室Ｓ3に内容物を取り入れることができる（図２を逆さにした状態を参照）。
【００２７】
内容物が計量室Ｓ3全体に充填された後は、図５(a)の状態から図５(b)に示すように、計量部材３をばね部材５の付勢力に抗して栓本体４に押し込むと、計量部材３の取出し口Ａ4が栓本体４の取出し口Ａ2と一致することで、取出し口Ａ2を通して、計量室Ｓ3内に充填された量だけ、内容物を定量的に取り出すことができる。
【００２８】
加えて、計量部材３には、図３に示すように、栓本体４（筐体壁４ｃ）と共に握って配置空間Ｓ2内に押し込むための膨出部３ｄが設けられている。本形態では、膨出部３ｄは、同図に示すように、計量部３ａよりも横幅を狭くすることで、指先の引っ掛けが更に容易になるように構成されている。また、膨出部３ｄには、図５に示すように、容器本体１と共に倒立させた状態で把持したとき、人差し指の内側部分に引っ掛かるフランジ部３ｆが一体に設けられている。
【００２９】
同様に、栓本体４には、図５に示すように、容器本体１と共に倒立させた状態で把持したとき、人差し指と親指との間の指股部分（いわゆる、水掻き部分）に引っ掛かるフランジ部４ｆが、図３に示すように、横方向に広がりつつ、一体に設けられている。
【００３０】
また、計量部３ａは、図３及び４に示すように、その後方壁３ｅから後方に向かって延在すると共に、筐体壁４の側壁４ｃ1に摺動可能に保持される側壁３ｈを有し、この側壁３ｈには、弾性舌片３ｔが一体に設けられている。弾性舌片３ｔは、側壁３ｈを貫通するスリット３ｓで形作られ、その先端部には、外向きの突起３ｐが設けられている。
【００３１】
これに対し、筐体壁４の側壁４ｃ1には、突起３ｐを内側に通して係合させる長孔４ｎが前後方向に延在するように形成されている。これにより、図５(a),(b)に示すように、長孔４ｎは、計量部材３の前後方向の移動を案内すると共に、その前方端縁４ｎ1と後方端縁４ｎ2がそれぞれ、突起３ｐと接触することで、計量部材３の前後方向の移動を規制するストッパとして機能する。
【００３２】
加えて、本形態では、図４に示すように、側壁４ｃ1には、長孔４ｎを流通方向（軸線Ｏ方向）に挟み込むように配置されるとともに前後方向に沿って延在させた、長孔４ｎよりも幅の狭いスリット４Ｌが形成されている。スリット４Ｌは、長孔４ｎと平行に前後方向に沿って延在することで、長孔４ｎとの間に、変形及び復元が可能な弾性変形部４ｒを構成する。
【００３３】
また、２つの弾性変形部４ｒの互いに向かい合う位置にそれぞれ、図５(a)に示すように、突起３ｐを係止する突起４ｐが設けられている。突起４ｐはそれぞれ、同図に示すように、突起３ｐを係止することで、計量部３ａの取入口Ａ3が、図２に示すように、注出栓本体４の取入口Ａ1と一致する位置に計量部材３を位置決めする。突起３ｐ及び４ｐの係止は、図１に示すように、使用者が計量部材３を一定以上の力で押し込むことで、突起３ｐが弾性変形部４ｒに設けた突起４ｐを押し開いて乗り越えるまで解除することができない。このため、持ち運び易くて使い勝手が良い。
【００３４】
本形態では、図２に示すように、栓本体４に計量部材３の配置空間Ｓ2を形成すると共に、この配置空間Ｓ2を挟んで上流側に形成した取入口Ａ1と、下流側に形成した取出口Ａ2とを前後方向にずらして配置し、更に、計量部材３の配置空間Ｓ2に、上流側から下流側に貫く計量室Ｓ3をスライド可能に配置すると共に、この計量室Ｓ3の取入口Ａ3が栓本体４の取入口Ａ1に整列するようにばね部材５を介して付勢するため、容器本体１を倒立させるだけの簡単な操作で、計量室Ｓ3に内容物を充填することができる。
【００３５】
そして、計量室Ｓ3に内容物を充填した後は、計量部材３に設けた膨出部３ｄを栓本体４と共に握って計量部材３を押し込めば、計量室Ｓ3の取出し口Ａ4が栓本体４の取出し口Ａ2と整列することで、容器本体１を再び正立させることなく、計量室Ｓ3に充填された分だけの内容物を取り出すことができる。
【００３６】
更にフランジ部３ｆ，４ｆを設けることで、図６に示すように、計量部材３を栓本体４と共に把持することができる。これにより、安定したハンドリングが可能になるため、計量室Ｓ3内に押し込みに応じた所望量だけ内容物を充填させる場合等、細かい計量を行うための、微妙な押し込みが可能になる。これにより、上述のように、計量室Ｓ3全体に内容物を充満させた全量計量は勿論、計量室Ｓ3内に所望量だけ内容物を充填させた任意計量も可能になる。
【００３７】
なお、任意計量としては、例えば、計量部材３を押し込むことなく、容器本体１を所望の角度で傾けた状態に倒立させることで、傾斜面ｆ1又は傾斜面ｆ2を案内にして、内容物を適宜取り入れ、計量室Ｓ3を透して、内容物が所望の量だけ取り入れられたのを確認したときは、計量部材３を完全に押し込んで取入口Ａ3からの内容物の取り入れを遮断することで、使用者の要求する内容量だけ定量的に取り出す方法や、予め計量部材３を一定量だけ押し込んだ状態で容器本体１を倒立させることで、内容物を適宜取り入れ、計量室Ｓ3を透して、内容物が所望の量だけ取り入れられたのを確認したときは、計量部材３を完全に押し込んで取入口Ａ3からの内容物の取り入れを遮断することで、使用者の要求する内容量だけ定量的に取り出す方法などが挙げられる。
【００３８】
また、本形態のように、計量部材３を透明とすれば、計量室Ｓ3内の内容物を視認することができるため、定量的な取り出しに好適である。
【００３９】
加えて、本形態では、計量部材３に設けたフランジ部３ｆは、容器本体１と共に倒立させた状態で把持したとき、人差し指に引っ掛かることで、手からの抜け落ちを防止すると共に、計量部材３の牽曳を容易にする。このため、操作性に優れて使い勝手が良い。
【００４０】
同様に、本形態では、栓本体４に設けたフランジ部４ｆも、容器本体１と共に倒立させた状態で把持したとき、人差し指と親指との間の指股部分に引っ掛かることで、手からの抜け落ちを防止すると共に、計量部材３の牽曳を容易にする。このため、操作性に優れて使い勝手が良い。
【００４１】
従って、本発明によれば、容器を倒立させたままで内容物を取り出すことができ、操作性に優れて使い勝手の良い新規の取出し容器を提供することができる。
【００４２】
加えて、本形態では、図５等に示すように、フランジ部３ｆを膨出部３ｄに繋がる曲線で構成している。このため、本形態では、人差し指でのフィット感を向上し、更に使い勝手が良い。
【００４３】
同様に、本形態では、フランジ部４ｆは、図４の側面図に示すように、凸状の湾曲面で構成されている。このフランジ部４ｆの湾曲面は、同側面図に示すように、取出し口Ａ2側に向かって凸状に湾曲する。これにより、フランジ部４ｆの湾曲面が人差し指と親指との間の指股部分に形成された窪みに合わさることで、当該指股部分でのフィット感が向上するため、更に使い勝手が良い。
【００４４】
加えて、本形態では、計量部材３に設けた膨出部３ｄを、計量部３ａの横幅よりも狭く構成し、この膨出部３ｄにフランジ部３ｆを設けたことで、指先を引っ掛けて牽曳しやすい。このため、計量部材３の牽曳を楽に行うことができる。
【００４５】
なお、本形態では、栓本体４の取入口Ａ1を取り囲むように当該取入口Ａ1に向かって傾斜する傾斜面ｆが形成されていることで、口筒部１ａの通路Ｒを通して取り出される内容物を計量室Ｓ3に効率的に導入することができる。
【００４６】
加えて、本形態では、計量部材３の側壁３ｈに、突起３ｐを有する弾性舌片３ｔを設け、この突起３ｐを筐体壁４ｃの側壁４ｃ1に形成した長孔４ｎに通してスライド可能に係止させたことで、当該長孔４ｎが計量部材３の押し込み及びその復帰を案内するため、計量部材３を前後方向にスライドさせるときに生じるガタツキを小さく抑えることができる。このため、計量部材３の押し込み及び復帰の動作をスムースに行うことができる。加えて、取出し栓４の側壁４ｃ1に形成した長孔４ｎは、その長手方向端縁４ｎ1,４ｎ2がそれぞれ、計量部材３に設けた突起３ｐと接触することで、栓本体４（計量部材３）の取出し口Ａ2，Ａ4を閉じたまま、栓本体４（計量部材３）の取入口Ａ1，Ａ3を開いた状態に位置決めすることができる一方、栓本体４（計量部材）３の取入口Ａ1，Ａ3を閉じたまま、栓本体４（計量部材３）の取出し口Ａ2，Ａ4を開いた状態に位置決めすることができる。
【００４７】
更に、本形態では、栓本体４の取出し壁４ｃ3を、ヒンジ４ｃ4を介して開閉可能に連結させている。かかる構成によれば、取出し口Ａ2が目詰まりしても、取出し壁４ｃ3を開けて掃除ができるため、使い勝手が良い。
【００４８】
また、本形態では、取出し壁４ｃ3の両側に、側壁４ｃ1に形成された凸部４ｄと着脱可能に係合する凹部４ｅが形成された枠壁４ｃ5を設けている。かかる構成によれば、取出し壁４ｃ3を必要に応じて適宜開閉することができる。
【００４９】
上述したところは、本発明の一形態を示したにすぎず、特許請求の範囲において、種々の変更を加えることができる。例えば、計量部３ａの形状は、計量部材３が栓本体４の配置空間Ｓ2でスライドできるものであれば、矩形に限定されることなく、様々な断面形状のものを採用することができる。このことは、計量部材及び栓本体の取入口及び取出し口についても同様である。また、容器本体１も、ブロー成形品に限定されることなく、様々な方法で製造することができる。更に、容器本体１は、その形状に限定されることなく、その材質も、合成樹脂製容器に限定されることなく、ガラス等の様々な材質で構成することができる。
【産業上の利用可能性】
【００５０】
本発明は、粉末洗剤等の粉状物は勿論、錠剤等の粒状物等の内容物にも適用することができる。
【符号の説明】
【００５１】
１      容器本体
１ａ    口筒部
１ｂ    肩部
１ｃ    胴部
１ｄ    底部
１ｓ    ねじ部
２      取出し栓
３      計量部材
３ａ    計量部
３ｂ    上流側平坦面
３ｃ    下流側平坦面
３ｄ    膨出部
３ｆ    フランジ部
３ｓ    スリット
３ｅ    後方壁
３ｈ    側壁
３ｐ    突起
３ｔ    弾性舌片
４      栓本体
４ａ    装着部
４ｂ    周壁
４ｃ    筐体壁
４ｃ1   側壁
４ｃ2   後方壁
４ｃ3   取出し壁
４ｆ    フランジ部
４Ｌ    スリット
４ｎ    長孔
４ｎ1   前方端縁
４ｎ2   前方端縁
４ｐ    突起
４ｒ    弾性変形部
４ｓ    ねじ部
Ａ1     栓本体取入口
Ａ2     栓本体取出し口
Ａ3     計量室取入口
Ａ4     計量室取出し口
ｆ      傾斜面
Ｓ1     内容物充填空間
Ｓ2     計量部材配置空間
Ｓ3     計量室
【図１】
0005881996.tif 000002
【図２】
0005881996.tif 000003
【図３】
0005881996.tif 000004
【図４】
0005881996.tif 000005
【図５】
0005881996.tif 000006
【図６】
0005881996.tif 000007